(57)【特許請求の範囲】
【請求項１】
ランプの口金が着脱可能にねじ込まれる円筒状の口金受け筒部、この筒部と一体に形成されるとともに前記口金受け筒部の外部において前記口金受け筒部の先端開口端部側から挿入される電線が通される電線通孔並びにリリース孔が設けられた一対の電線差し込み部、および前記口金受け筒部の前記ランプが挿入される先端開口端部とは反対側開口端部に前記口金受け筒部を径方向に横断して一体に形成されたブリッジを有するボディと、
前記口金受け筒部の内周面に露出されるとともに前記口金の周壁が接触する口金接触片部、および前記電線差し込み部に挿入された前記電線と接触する電線鎖錠片部を有して前記ボディの後面開口から挿入して前記ボディに内蔵された第１接触金具と、
前記ブリッジに前記先端開口端部側から対向されるとともに前記口金のアイレット端子が接触する口金接触片部、および前記電線差し込み部に挿入された前記電線と接触する電線鎖錠片部を有して前記ボディの後面開口から挿入して前記ボディに内蔵された第２接触金具と
前記ボディにセルフヒンジを介して一体に設けられ前記両接触金具を覆い隠して前記ボディの後面開口を閉じる裏蓋と、
この裏蓋の前記セルフヒンジとは反対側に一体に突設された弾性変形可能な係止爪と、
前記裏蓋の前記セルフヒンジ側に一体に突設され、前記裏蓋を閉じたときに前記ボディ内に入り込んで前記両接触金具に形成された電線鎖錠片部とそれぞれ対向するように配置されて、前記電線鎖錠片のへたり変形を規制する一対の係止凸部と、
前記ボディの後面開口端部に設けられ前記裏蓋を閉じたときに前記係止爪が係止される爪受け部と、
前記ボディの前記セルフヒンジ側に設けられ前記裏蓋を閉じたときに前記係止凸部が係止される係止凸部受けと、
を具備したねじ込み式ランプソケット。
【請求項２】
前記爪受け部を前記ブリッジに設けたことを特徴とする請求項１記載のねじ込み式ランプソケット。
【発明の詳細な説明】
【０００１】
【発明の属する技術分野】
本発明は、各種の照明器具に備えられる常夜灯を着脱可能に支持する常夜灯ソケット、或いは光源が放電ランプの照明器具において前記ランプを始動させるためのグロースタータ（点灯管またはグローランプとも称される。）を着脱可能に支持するグロースタータソケット等のねじ込み式ランプソケットに関する。
【０００２】
【従来の技術】
ねじ込み式ランプソケットは、ランプの口金がねじ込まれる口金受け筒部を有したボディに、前記口金の周壁に接して電気的に接続される第１接触金具と、前記口金のアイレット端子に接して電気的に接続される口金接触片部を有した第２接触金具とを少なくとも内蔵しており、かつ、これら接触金具をボディの後面開口を塞ぐ裏蓋で覆い隠している。
【０００３】
従来のソケットのボディはユリア樹脂などの熱硬化性合成樹脂製である。また、裏蓋はボディとは別に成形されたポリプロピレン等の熱可塑性合成樹脂製であって、この別ピースの裏蓋は、ねじ止め、爪止め、超音波溶着、或いはこれらを併用する等によりボディの後面に連結されている。
【０００４】
一般的な従来のソケットでは、口金受け筒部内に有底円筒状の受金が内蔵され、この受金は口金受け筒部の底壁を貫通するグロメットを介して第１接触金具に連結されている。それによって、受金にねじ込まれるランプの口金の周壁と第１接触金具とが電気的に接続されるようになっている。さらに、第２接触金具の口金接触部は前記底壁を通って挿入されているとともに、前記底壁に設けた受け部によって口金のねじ込みに伴う口金接触部の過度の変形をなくして、そのへたりが防止されるようになっている。
【０００５】
また、以上のように多数の接触金具を用いないようにした構成も知られている。つまり、第１接触金具は、口金の周壁が接触する口金接触片部を有しているとともに、ボディの後面開口から挿入して、その口金接触片部を口金受け筒部の内面に沿わせてボディに内蔵されている。なお、口金のアイレット端子が接触する口金接触片部を有した第２接触金具も、ボディの後面開口から挿入してボディに内蔵されている。こうした第１、第２の接触金具は、その口金接触片部を口金受け筒部にねじ込まれる口金に直接接触するので、これら金具の他に接触金具を必要としないものである。
【０００６】
【発明が解決しようとする課題】
前記のようにボディと裏蓋とが別体であり、これらの連結作業を要する従来ねじ込み式ランプソケットによれば、成形コストが二重にかかる他に、連結に要する手間が多いため、コスト高であるという問題がある。
【０００７】
しかも、ボディ内に配置されて口金に直接接触する口金接触片部を有した第１、第２の接触金具を採用して部品数を削減した従来のねじ込みランプソケットでは、口金受け筒部への口金のねじ込みに伴って、前記両接触金具がそのボディへの挿入方向とは逆方向の力を受けることは不可避であるから、それによって、両接触金具が押し動かされる恐れがある。そうした場合、押し動かされた両接触金具によって裏蓋が内側より押されて、この蓋とボディとの連結部に負荷が与えられるから、それによって裏蓋が不用意に開いてしまう恐れが考えられる。
【０００８】
したがって、本発明が解決しようとする第１の課題は、口金の取付けによって裏蓋が不用意に開く恐れをなくすことができる安価なねじ込み式ランプソケットを得ることにある。
【０００９】
また、本発明が解決しようとする第２の課題は、前記第１の目的を達成するにあたり、より安価で、かつ、口金受け筒部の外形形状を単純にできるねじ込み式ランプソケットを得ることにある。
【００１０】
【課題を解決するための手段】
前記第１の課題を解決するために、請求項１の発明は、ランプの口金が着脱可能にねじ込まれる円筒状の口金受け筒部、この筒部と一体に形成されるとともに前記口金受け筒部の外部において前記口金受け筒部の先端開口端部側から挿入される電線が通される電線通孔並びにリリース孔が設けられた一対の電線差し込み部、および前記口金受け筒部の前記ランプが挿入される先端開口端部とは反対側開口端部に前記口金受け筒部を径方向に横断して一体に形成されたブリッジを有するボディと、前記口金受け筒部の内周面に露出されるとともに前記口金の周壁が接触する口金接触片部、および前記電線差し込み部に挿入された前記電線と接触する電線鎖錠片部を有して前記ボディの後面開口から挿入して前記ボディに内蔵された第１接触金具と、前記ブリッジに前記先端開口端部側から対向されるとともに前記口金のアイレット端子が接触する口金接触片部、および前記電線差し込み部に挿入された前記電線と接触する電線鎖錠片部を有して前記ボディの後面開口から挿入して前記ボディに内蔵された第２接触金具と、前記ボディにセルフヒンジを介して一体に設けられ前記両接触金具を覆い隠して前記ボディの後面開口を閉じる裏蓋と、この裏蓋の前記セルフヒンジとは反対側に一体に突設された弾性変形可能な係止爪と、前記裏蓋の前記セルフヒンジ側に一体に突設され、前記裏蓋を閉じたときに前記ボディ内に入り込んで前記両接触金具に形成された電線鎖錠片部とそれぞれ対向するように配置されて、前記電線鎖錠片のへたり変形を規制する一対の係止凸部と、前記ボディの後面開口端部に設けられ前記裏蓋を閉じたときに前記係止爪が係止される爪受け部と、前記ボディの前記セルフヒンジ側に設けられ前記裏蓋を閉じたときに前記係止凸部が係止される係止凸部受けと、を具備したものである。
【００１１】
請求項１の発明において、裏蓋はボディに対してセルフヒンジを介して一体に形成されているので、これらを個別に成形する手間が不要であり、成形コストを下げることができる。そして、裏蓋は、セルフヒンジを中心にボディの後面開口に被さるように回転させるだけの簡単な手間により、その係止爪を弾性変形させながらボディの爪受け部に係合させるとともに、係止凸部をボディの係止凸部受けに係合させることができるから、これらの係合によってボディの後面開口を塞いだ姿勢に保持される。また、ボディのブリッジは、口金受け筒部にランプの口金をねじ込んだ際において、口金のアイレット端子が第２接触金具の口金接触片部に接触するに伴って、この接触片部が過度に変形しないように支持して、そのへたりを防止する。更に、係止凸部は、電線差し込み部に挿入された電線に対するリリース動作に伴う電線鎖錠片部の過度の変形をさまたげて、それらのへたりを防止する。
【００１２】
そして、口金受け筒部への前記口金のねじ込みに伴い接触金具を介して裏蓋が押し開かれようとするにも拘らず、前記係止爪および爪受け部の係合と相俟って、係止凸部と係止凸部受けとの係合によって、裏蓋を閉じた状態に確実に保持できる。特に、セルフヒンジ側において係合された係止凸部と係止凸部受けとは、強度が小さいセルフヒンジに対する負荷の集中を防止して、このヒンジの破損を妨げる。しかも、仮に、何らかの原因でセルフヒンジが破損した場合でも、前記係止爪と爪受け部との係合、および係止凸部と係止凸部受けとの係合によって、裏蓋を閉じた状態に保持できる。
【００１３】
また、前記第２の課題を解決するために、請求項２の発明は、前記爪受け部を前記ブリッジに設けたことを特徴としている。
【００１４】
この請求項２の発明において、裏蓋を閉じ操作した時に、その係止爪はブリッジに設けた爪受け部に係合して、裏蓋を閉じ状態に保持する。ブリッジおよびその爪受け部は口金受け筒部の内側に位置されているので、爪受け部を口金受け筒部の外面側に突出して設ける場合に比較して、口金受け筒部の外面への突出部が少なく、その外形形状を単純にできるとともに、それにしたがいボディ等を成形する金型の構造を単純にできる。
【００１５】
【発明の実施の形態】
以下、図１〜図１３を参照して本発明の第１の実施の形態を説明する。
図１〜図６中符号２１で示すねじ込み式ランプソケットとしてのグロースタータソケットは、ボディ２２と、裏蓋２３と、第１接触金具２４と、第２接触金具２５と、閉蓋保持手段とを具備している。
【００１６】
ボディ２２は、熱可塑性合成樹脂例えばポリプロピレンの成形品であって、円筒状の口金受け筒部３０の外側に、一対の金具収容部３１と、一つのコンデンサ収容部３２と、一対の電線差し込み部３３とを夫々一体に形成してなる。ボディ２２の後面は開口されている。
【００１７】
口金受け筒部３０には、ランプ例えば図５、図６に示されるグロースタータ（点灯管、またはグロー放電管、或いはグローランプとも称する。）２６の口金２７が着脱可能にねじ込まれる。口金２７は、その外周をなす螺旋溝を有する周壁２７ａと、口金端面に設けられたアイレット端子２７ｂとを有している。図３、図４、および図１０等に示されるように口金受け筒部３０は、その内周面に周方向に沿って斜めに延びてビード状に突出形成されるとともに、前記螺旋溝に係合してグロースタータ２６が不用意に抜けないように外れ止めするねじ山部３４を有している。図１０に示されるように口金受け筒部３０の内周面にはその軸方向に延びる金具係合凹部３０ａが設けられている。
【００１８】
この口金受け筒部３０は、そのグロースタータ２６が挿入される先端開口部と反対側開口端部に、この筒部３０を径方向に横断するブリッジ３５を有している。このブリッジ３５は図１０に示されるように前記先端開口側を底とする断面コの字状の溝構造をなしている。
【００１９】
口金受け筒部３０には、一つの爪受け部３６と、一対の係止凸部受け３７とが夫々設けられている。爪受け部３６は、例えばブリッジ３５の一端部に設けられており、図９に示されるように前記反対側開口に向けて開くガイド斜面３６ａを有している。なお、図１および図９等に示す符号３５ａはブリッジ３５の底に爪受け部３６に臨んで開口された孔である。また、前記構成に代えて本発明においては、口金受け筒部３０の前記反対側開口端部の周壁の一部を外側に突出させ、この突出部分に開口する孔を設けることによって爪受け部３６を形成してもよい。
【００２０】
２個の係止凸部受け３７は、ボディ２２の後面開口端部、特に、ブリッジ３５の他端部側に設けられる後述のセルフヒンジ４５の近傍にこのヒンジ４５を間に置いて両側に設けられており、例えば角孔状の係止孔により形成されている。なお、本発明においては、前記係止孔に代えて、図９に示される前記爪受け部３６と同様なガイド斜面を有する突起によって係止凸部受け３７を形成してもよい。
【００２１】
図３および図４に示されるように一対の金具収容部３１は、前記反対側開口端部の外側にボディ２２の径方向を中心とする線対称の配置に形成されていて、後述する隔壁３９で仕切られているとともに、その後面は夫々開放されている。したがって、これら金具収容部３１はあたかもブリッジ３５の延長部分で仕切られたようになっている。
【００２２】
金具収容部３１の前側に一体に連なって形成されたコンデンサ収容部３２には、図５、図６に示される雑音防止用コンデンサ３８が収容される。このコンデンサ３８は一対の線状のリード３８ａを有している。図１および図１１等に示されるようにコンデンサ収容部３２の底部（つまり、収容部３１、３２の境界となる壁部）には一対のリード通孔３２ａが設けられ、これら通孔３２ａはボディ２２が有する隔壁３９で仕切られている。隔壁３９は図４、図５等に示されるように例えばブリッジ３５の他端に一体に連続して設けられている。
【００２３】
金具収容部３１の前側に一体に連なって形成された一対の電線差し込み部３３は、図１および図１１に示されるようにコンデンサ収容部３２の幅方向両側に位置して設けられ、その底部（つまり、収容部３１、３３の境界となる壁部）には電線通孔３３ａが設けられている。また、図１および図３中４０は電線差し込み部３３に挿入された電線４１（図１１中２点鎖線参照）をボディ２２から引き抜く際に、図示しないピン状のリリース棒を金具収容部３１内に挿入させるリリース孔を示している。
【００２４】
また、口金受け筒部３０の前記反対側開口端部の外面には、径方向に対向する一対の取付け爪４２が一体に突設されている。これらの爪４２を図示しない照明器具のシャーシに設けた取付け孔の孔縁に夫々引っ掛けることによって、グロースタータソケット２１が、前記シャーシに取付けられるようになっている。
【００２５】
前記構成のボディ２２における後面開口を塞ぐ前記裏蓋２３は、図２〜図５、図７に示されるようにボディ２２に対して例えば一対のセルフヒンジ４５を介して一体に成形されている。これらセルフヒンジ４５は、Ｖ形溝を設けて可撓変形自在な薄肉（0.25mm程度）としたものであって、相互間には非連結用の孔４６が設けられている。
【００２６】
この裏蓋２３は、セルフヒンジ４５と反対側において内面に一体に突設された弾性変形可能な係止爪４７と、セルフヒンジ４５側において内面に一体に突設された一対の係止凸部４８とを夫々有している。裏蓋２３は、その係止爪４７を前記爪受け部３６に引掛けるとともに、係止凸部４８を前記係止凸部受け３７に夫々引掛けることにより、ボディ２２の後面開口を閉じた状態に保持されている。したがって、前記爪受け部３６、係止凸部受け３７、係止爪４７、および両係止凸部４８は、裏蓋２３を閉じた姿勢に保持する前記閉蓋保持手段をなしている。
【００２７】
また、一対の係止凸部４８は、図８および図１１に示されるように裏蓋２３が閉じた状態では夫々金具収容部３１内に入り込むようになっている。さらに、これら係止凸部４８にはストッパ突起４９が夫々一体に突設されている。これらの突起４９は前記リリース孔４０に対応して設けられ、電線４１に対するリリース動作に伴う後述の電線鎖錠片部５３、５７の過度の変形をさまたげて、それらのへたりを防止するのに用いられる。なお、本発明において、係止凸部４８とストッパ突起４９とは別々に設けてもよいが、前記のように共通化する構成によれば、裏蓋２３の構成を簡単にできる。
【００２８】
前記ボディ２２に内蔵されるばね性を有する銅合金製の第１接触金具２４は、図１２に示されるようにベース５１に、口金接触片部５２と、電線鎖錠片部５３と、リード鎖錠片部５４とを夫々一体に設けて形成されている。
【００２９】
ベース５１は、第１片部５１ａおよびこれから折れ曲がった第２片部５１ｂからへの字形をなして形成されている。口金接触片部５２は、短冊状をなして、第１片部５１ａの幅方向一端から前記幅方向に延びて一体に設けられている。この接触片部５２は、前記口金２７の周壁２７ａとの接触面積をより大きくするために例えば波形状に成形されているが、この波形は本発明では省略してもよい。
【００３０】
電線鎖錠片部５３は、第２片部５１ｂの幅方向一端から一体に延出した突出部を、第２片部５１ｂの幅内に位置されるように斜めに折曲げて設けられている。リード鎖錠片部５４は第２片部５１ｂから斜めに切り起こして形成されている。これら電線鎖錠片部５３およびリード鎖錠片部５４の先端部には、夫々Ｖ字溝５３ａ、５４ａが曲げ形成されている。
【００３１】
前記ボディ２２に内蔵されるばね性を有する銅合金製の第２接触金具２５の構成は第１接触金具２４と同様であり、図１３に示されるようにベース５５に、口金接触片部５６と、電線鎖錠片部５７と、リード鎖錠片部５８とを夫々一体に設けて形成されている。
【００３２】
ベース５５は、第１片部５５ａおよびこれから折れ曲がった第２片部５５ｂからへの字形をなして形成されている。口金接触片部５６は、短冊状をなして、第１片部５５ａの幅方向一端から前記幅方向に延びて一体に設けられている。電線鎖錠片部５７は、第２片部５５ｂの幅方向一端から一体に延出した突出部を、第２片部５５ｂの幅内に位置されるように斜めに折曲げて設けられている。リード鎖錠片部５８は第２片部５５ｂから斜めに切り起こして形成されている。これら電線鎖錠片部５７およびリード鎖錠片部５８の先端部には、夫々Ｖ字溝５７ａ、５８ａが曲げ形成されている。
【００３３】
そして、前記構成の両接触金具２４、２５は図４および図５等に示されるようにボディ２２に内蔵されている。すなわち、第１接触金具２４は、口金接触片部５２を先頭にして一方の金具収容部３１にその後面開口から挿入して収容されている。なお、収容の最終段階では圧入気味に挿入される。この収容により、ベース５１および両鎖錠片部５３、５４が夫々前記一方の金具収容部３１に内蔵されるとともに、口金接触片部５２が口金受け筒部３０の金具係合凹部３０ａに係合して保持されて、この口金受け筒部３０の内周面に面一的に露出して設けられる。こうした第１接触金具２４のボディ２２への取付けはブリッジ３５で仕切られたボディ２２の後面開口を通して行うことができる。
【００３４】
この取付けにより第１接触金具２４は、図４等に示されるようにベース５１の幅方向をボディ２２の軸方向と一致させてボディ２２に内蔵される。こうして内蔵された第１接触金具２４の電線鎖錠片部５３は、前記一方の金具収容部３１の内壁面に接近し、かつ、そのＶ字溝５３ａを一方の電線差し込み部３３の電線通孔３３ａに対向させて配置される。また、第１接触金具２４のリード鎖錠片部５４は、前記隔壁３９の側面に接近し、かつ、そのＶ字溝５４ａを一方のリード通孔３２ａに対向させて配置される。
【００３５】
また、第２接触金具２５は、口金接触片部５６を先頭にして他方の金具収容部２２ａにその後面開口から挿入して収容されている。なお、収容の最終段階では圧入気味に挿入される。この収容により、ベース５５および両鎖錠片部５７、５８が夫々前記他方の金具収容部２２ａに内蔵されるとともに、口金接触片部５６の先端部がブリッジ３５に口金受け筒部３０の先端開口端部側から対向して設けられる。こうした第２接触金具２５のボディ２２への取付けはブリッジ３５で仕切られたボディ２２の後面開口を通して行うことができる。
【００３６】
この取付けにより第２接触金具２５は、図４等に示されるようにベース５５の幅方向をボディ２２の軸方向と一致させてボディ２５に内蔵される。こうして内蔵された第２接触金具２５の電線鎖錠片部５７は、前記他方の金具収容部３１の内壁面に接近し、かつ、そのＶ字溝５７ａを他方の電線差し込み部３３の電線通孔３３ａに対向させて配置される。また、第２接触金具２５のリード鎖錠片部５８は、前記隔壁３９の側面に接近し、かつ、そのＶ字溝５８ａを一方のリード通孔３２ａに対向させて配置される。
【００３７】
前記構成のグロースタータソケット２１は、そのボディ２２と裏蓋２３とが一体成形されたものであるから、これらを個別に成形する手間が不要となり、部品点数が少なく、成形コストを下げることができる。
【００３８】
このソケット２１は次の手順で組立てられる。まず、既述のようにボディ２２にその後面開口を通して一対の接触金具２４、２５を挿入して内蔵する。次に、ボディ２２の後面開口を裏蓋２３によって閉じる。この場合、裏蓋２３はセルフヒンジ４５によってボディ２２に位置決めされているので、裏蓋２３をセルフヒンジ４５を中心に回動させてボディ２２の後面開口を閉じるという簡単なワンタッチ作業によって、その係止爪４７を弾性変形させながらボディ２２の爪受け部３６に係合させる（図９参照）とともに、一対の係止凸部４８をボディ２２の係止凸部受け３７に係合させる（図８参照）ことができる。それによって、ソケット２１の組立が完了する。
【００３９】
したがって、このようなワンタッチ操作で裏蓋２３をボディ２２の後面開口を塞いだ状態に保持できて組立て性が良好で、組立てコストが低いことと相俟って、既述のように成形コストが低いため、このグロースタータソケット２１を安価に得ることができる。
【００４０】
前記構成のグロースタータソケット２１に対してグロースタータ２６、コンデンサ３８、および２本の電線４１は次のように取付けられる。
【００４１】
グロースタータ２６は、その口金２７を口金受け筒部３０内にこの筒部３０の先端開口からねじ込むことにより、口金２７の周壁２７ａのねじ溝にねじ山部３４を係合させて口金受け筒部３０に取付けられる。この取付けにより、口金２７の周壁２７ａが第１接触金具２４の口金接触片部５２に接触されるとともに、口金２７のアイレット端子２７ａが第２接触金具２５の口金接触片部５６を押圧し弾性変形させる。このアイレット端子２７ａの口金接触片部５６への接触において、口金受け筒部３０のブリッジ３５が口金接触片部５６の一定量以上の弾性変形を阻止するので、口金接触片部５６が過度に変形されてへたることを防止できる。
【００４２】
コンデンサ３８は、その２本のリード３８ａを先頭にしてコンデンサ収容部３２に挿入することにより、この収容部３２に収容して取付けられる。この取付けにより、一方のリード３８ａは、一方のリード通孔３２ａを通って対応する一方の金具収容部３１に挿入されるから、前記一方のリード通孔３２ａに対向している第１接触金具２４のリード鎖錠片部５４を押し動かしながら通過し、この片部５４のＶ字溝５４ａと隔壁３９の一側面との間に自己鎖錠式に保持される。同様に、他方のリード３８ａも、他方のリード通孔３２ａを通って対応する他方の金具収容部３１に挿入されるから、前記他方のリード通孔３２ａに対向している第２接触金具２５のリード鎖錠片部５８を押し動かしながら通過し、この片部５８のＶ字溝５８ａと隔壁３９の他側面との間に自己鎖錠式に保持される。こうして取付けられるコンデンサ３８はグロースタータ２６に対し電気的に並列に接続される。
【００４３】
２本の電線４１は夫々電線差し込み部３３に挿入して取付けられる。この挿入により、一方の電線４１は、一方の電線差し込み部３３の電線通孔３３ａを通って対応する一方の金具収容部３１に挿入されるから、前記一方の電線通孔３３ａに対向している第１接触金具２４の電線鎖錠片部５３を押し動かしながら通過し、この片部５３のＶ字溝５３ａと一方の金具収容部３１の内側面との間に自己鎖錠式に保持される。同様に、他方の電線４１は、他方の電線差し込み部３３の電線通孔３３ａを通って対応する他方の金具収容部３１に挿入されるから、前記他方の電線通孔３３ａに対向している第２接触金具２５の電線鎖錠片部５７を押し動かしながら通過し、この片部５７のＶ字溝５７ａと他方の金具収容部３１の内側面との間に自己鎖錠式に保持される。
【００４４】
ところで、前記グロースタータ２６の口金２７を口金受け筒部３０へのねじ込むに伴って、両接触金具２４、２５はその口金接触片部５２、５６への口金２７の接触を介して裏蓋２３側に押圧されるから、それによって接触金具２４、２５の少なくとも一方が押し動かされて裏蓋２３を開き方向に押す恐れがある。また、電線差込み部３３に挿入して接続された電線４１を取外す際にも、リリース孔４０に挿通される図示しないリリース棒により電線鎖錠片部５３または５７が押されるので、その力によっても接触金具２４、２５の少なくとも一方が押し動かされて裏蓋２３を開き方向に押す恐れがある。
【００４５】
しかし、裏蓋２３は、その先端部側の係止爪４７がボディ２２の爪受け部３６に引掛かっているのみならず、セルフヒンジ４５側における係止凸部４８とボディ２２の係止凸部受け３７との引掛かりによって、閉じた状態に保持されているから、前記のように接触金具２４、２５を介して裏蓋２３が内側から外側に開く方向に押される場合においても、それに拘らず、裏蓋２３が不用意に開く恐れがない。したがって、両接触金具２４、２５と口金２７との適正な接触状態が損なわれることがなく、機械的および電気的接続の信頼性を保持できる。
【００４６】
その上、前記ソケット２１のセルフヒンジ４５は薄肉であるために強度が小さいにも拘らず、このヒンジ４５の近傍位置において係止凸部４８と係止凸部受け３７とを係合させたから、取り分け、これらの係合部をセルフヒンジ４５を間に置いてその両側に設けたので、そこでの支持作用により、前記スタータ２６のねじ込みに伴いセルフヒンジ４５に負荷が集中することを防止でき、このヒンジ４５の破損を妨げることができる。
【００４７】
しかも、以上のように前記係止爪４７と爪受け部３６とが係合するとともに、係止凸部４８と係止凸部受け３７とが係合して、裏蓋２３を閉じた状態に保持する構成であるから、仮に、何らかの原因でセルフヒンジ４５が破損した場合でも、前記複数箇所での係合によって裏蓋２３を閉じた状態に保持できるとともに、両接触金具２４、２５と口金２７との適正な接触状態が損なわれることがない。
【００４８】
また、係止爪４７が係合する爪受け部３６は、口金受け筒部３０の内側に位置されたブリッジ３５に設けられているので、爪受け部３６を口金受け筒部３０の外面側に突出して設ける場合に比較して、口金受け筒部３６の外面への突出部を少なくでき、この筒部３６の外形形状を単純にできる。そのため、このソケット２１を前記シャーシに配置する上で前記突出部が少ない分有利である。しかも、外形形状の単純化に伴い、ボディ２２および裏蓋２３を一体成形する金型において、口金受け筒部３０に相当する部分の構造並びに加工を単純にできるので、型費や安くなって、ソケット２１全体のコストダウンをより促進できる。
【００４９】
なお、本発明は前記第１の実施の形態には制約されない。例えば、本発明を常夜灯ソケットとして構成する場合には、前記第１の実施の形態のままでもよいし、或いは雑音防止用コンデンサの取付けに関係するコンデンサ収容部、リード鎖錠片部などを省略して実施することができる。
【００５０】
【発明の効果】
本発明は、以上説明したような形態で実施され、以下に記載されるような効果を奏する。
【００５１】
請求項１の発明によれば、ボディと裏蓋との成形コストが低いことと相俟って、裏蓋をセルフヒンジを中心に回転させるだけの簡単な手間でボディの後面開口を裏蓋で閉じることができるから、ねじ込み式ランプソケットを安価に提供できる。その上、口金受け筒部にランプの口金をねじ込むに伴い接触金具を介して裏蓋が押されることがあっても、係止爪および爪受け部の係合と、係止凸部および係止凸部受けの係合とによって、裏蓋が不用意に開く恐れなくすことができる。しかも、前記係合により強度が小さいセルフヒンジの破損を防止できるとともに、セルフヒンジが破損した場合でも、前記係合によって裏蓋を閉じた状態に保持できる。また、ボディのブリッジによって、口金受け筒部にランプの口金をねじ込んだ際において、口金のアイレット端子が第２接触金具の口金接触片部に接触するに伴って、この接触片部が過度に変形しないように支持して、そのへたりを防止できる。更に、係止凸部によって、電線差し込み部に挿入された電線に対するリリース動作に伴う電線鎖錠片部の過度の変形をさまたげて、それらのへたりを防止できる。
【００５２】
請求項２の発明によれば、裏蓋の係止爪が係合する爪受け部をブリッジに設けたから、爪受け部を口金受け筒部の外面側に突出して設ける場合に比較して、口金受け筒部の外面への突出部が少なく、その外形形状を単純にできるとともに、ボディ等を成形する金型の構造も単純となるので、より安価に提供できる。
【図面の簡単な説明】
【図１】本発明の第１の実施の形態に係るグロースタータソケットの構成を示す正面図。
【図２】第１の実施の形態に係るグロースタータソケットの構成を、その裏蓋を開いた状態で示す側面図。
【図３】第１の実施の形態に係るグロースタータソケットの構成を、その裏蓋を開いた状態で示す正面図。
【図４】第１の実施の形態に係るグロースタータソケットの構成を、その裏蓋を開いた状態で示す後面図。
【図５】第１の実施の形態に係るグロースタータソケットの構成を、その裏蓋を開いた状態で、このソケットに取付けられるグロースタータおよび雑音防止用コンデンサとともに示す分解斜視図。
【図６】第１の実施の形態に係るグロースタータソケットの構成を、それにグロースタータおよび雑音防止用コンデンサを取付けた状態で示す斜視図。
【図７】第１の実施の形態に係るグロースタータソケットのセルフヒンジ回りの構成を、裏蓋を開いた状態で示す斜視図。
【図８】第１の実施の形態に係るグロースタータソケットの係止凸部と係止凸部受けとの係合構造を示す図。
【図９】第１の実施の形態に係るグロースタータソケットの係止爪と爪受け部との係合構造を示す図。
【図１０】第１の実施の形態に係るグロースタータソケットが備えるボディの構成を、図２中Ｚ−Ｚ線に沿って示す断面図。
【図１１】第１の実施の形態に係るグロースタータソケットの構成を、図１中Ｙ−Ｙ線に沿って示す断面図。
【図１２】（Ａ）は第１の実施の形態に係るグロースタータソケットが備える第１接触金具の構成を示す正面図。（Ｂ）は前記第１接触金具の構成を示す後面図。（Ｃ）は前記第１接触金具の構成を図１２（Ａ）中矢印Ｘ方向から見て示す側面図。
【図１３】（Ａ）は第１の実施の形態に係るグロースタータソケットが備える第２接触金具の構成を示す正面図。
（Ｂ）は前記第２接触金具の構成を示す後面図。
（Ｃ）は前記第２接触金具の構成を図１３（Ａ）中矢印Ｗ方向から見て示す側面図。
【符号の説明】
２１…グロースタータソケット（ねじ込み式ランプソケット）、２２…ボディ、２３…裏蓋、２４…第１接触金具、２５…第２接触金具、２６…グロースタータ（ランプ）、２７…口金、２７ａ…口金の周壁、２７ｂ…口金のアイレット端子、３０…口金受け筒部、３３…電線差し込み部、３３ａ…電線通孔、３５…ブリッジ、３６…爪受け部、３７…係止凸部受け、４０…リリース孔、４５…セルフヒンジ、４７…係止爪、４８…係止凸部、５２、５６…口金接触片部、５３、５７…電線鎖錠片部。
【図１】
0003882222.tif 000002
【図２】
0003882222.tif 000003
【図３】
0003882222.tif 000004
【図４】
0003882222.tif 000005
【図５】
0003882222.tif 000006
【図６】
0003882222.tif 000007
【図７】
0003882222.tif 000008
【図８】
0003882222.tif 000009
【図９】
0003882222.tif 000010
【図１０】
0003882222.tif 000011
【図１１】
0003882222.tif 000012
【図１２】
0003882222.tif 000013
【図１３】
0003882222.tif 000014